(57)【特許請求の範囲】
【請求項１】
建物の壁面に設置された屋外コンセントの全体が嵌合される切欠き嵌合部と、該屋外コンセントの全体を開閉自在に被覆する開閉カバー部と、該開閉カバー部の鎖錠手段を備えた屋外コンセント保護用カバーであって、
該屋外コンセント保護用カバーは、扉を備える筐体からなり、
該筐体の背面に形成された孔部を、前記切欠き嵌合部とし、
該扉を、前記開閉カバー部とし、
該筐体の内部には、車両と接続する自動車充電用コネクタを保持するコネクタ保持部を、前記切欠き嵌合部と横並びに備え、
該筐体の下部には、一端を前記屋外コンセントに接続し、他端に備えた自動車充電用コネクタを前記充電コネクタ保持部に保持させた充電ケーブルを挿通可能な切欠き部を、形成したことを特徴とする屋外コンセント保護用カバー。
【請求項２】
筐体内部に、該自動車充電用コネクタを先端に有する充電ケーブルを収納するケーブル収納部を備えることを特徴とする請求項１記載の屋外コンセント保護用カバー。
【請求項３】
筐体表面に、化粧パネルを脱着自在に備えることを特徴とする請求項１または２記載の屋外コンセント保護用カバー。
【発明の詳細な説明】
【技術分野】
【０００１】
本発明は、屋外コンセント保護用カバーに関するものである。
【背景技術】
【０００２】
従来、一般家屋の屋外壁面に設置された屋外コンセントは、主に、屋外用照明器具や給湯器、芝刈機等への電源供給用として使用されてきた。
【０００３】
これらの屋外コンセントの無断使用を禁止することを目的として、盗電対策機能を備えた屋外コンセント装置の技術が開示されている（特許文献１、特許文献２）。
【０００４】
しかし、特許文献１あるいは特許文献２に記載の技術で盗電対策を行う場合、新たに盗電対策機能を備えた屋外コンセント装置との交換作業が必要になり、屋外壁面に既設の屋外コンセントをそのまま使用することはできないという問題があった。
【先行技術文献】
【特許文献】
【０００５】
【特許文献１】特開２００５−２５９４１１号公報
【特許文献２】特開２０１０−５５８３６号公報
【発明の概要】
【発明が解決しようとする課題】
【０００６】
本発明の目的は前記の問題を解決し、屋外壁面に既設の屋外コンセントをそのまま使用しつつ、盗電対策ができる屋外コンセント保護用カバーを提供することである。
【課題を解決するための手段】
【０００７】
上記課題を解決するためになされた本発明の屋外コンセント保護用カバーは、建物の壁面に設置された屋外コンセントの全体が嵌合される切欠き嵌合部と、該屋外コンセントの全体を開閉自在に被覆する開閉カバー部と、該開閉カバー部の鎖錠手段を備えた屋外コンセント保護用カバーであって、該屋外コンセント保護用カバーは、扉を備える筐体からなり、該筐体の背面に形成された孔部を、前記切欠き嵌合部とし、該扉を、前記開閉カバー部とし、該筐体の内部には、車両と接続する自動車充電用コネクタを保持するコネクタ保持部を、前記切欠き嵌合部と横並びに備え、該筐体の下部には、一端を前記屋外コンセントに接続し、他端に備えた自動車充電用コネクタを前記充電コネクタ保持部に保持させた充電ケーブルを挿通可能な切欠き部を形成したことを特徴とするものである。
建物の壁面に設置された屋外コンセント全体を、開閉自在に被覆する屋外コンセント保護用カバーであって、該屋外コンセント保護用カバーは、該屋外用コンセント全体が嵌合される切欠き嵌合部と、開閉自在に形成された開閉カバー部と、該開閉カバー部の鎖錠手段を備えることを特徴とするものである。
【０００８】
請求項２記載の発明は、請求項１記載の屋外コンセント保護用カバーにおいて、該自動車充電用コネクタを先端に有する充電ケーブルを収納するケーブル収納部を備えることを特徴とするものである。
【０００９】
請求項３記載の発明は、請求項１または２記載の屋外コンセント保護用カバーにおいて、筐体表面に、化粧パネルを脱着自在に備えることを特徴とするものである。
【００１０】
【００１１】
【００１２】
【発明の効果】
【００１３】
本発明に係る屋外コンセント保護用カバーは、建物の壁面に設置された屋外コンセント全体を、開閉自在に被覆する屋外コンセント保護用カバーであって、該屋外コンセント保護用カバーは、該屋外用コンセント全体が嵌合される切欠き嵌合部と、開閉自在に形成された開閉カバー部と、該開閉カバー部の鎖錠手段を備えるため、屋外壁面に既設の屋外コンセントをそのまま切欠き嵌合部に嵌合して使用して、盗電対策機能を新たに付与することができる。
【００１４】
従来、一般家屋の屋外壁面に設置された屋外コンセントは、主に、屋外用照明器具や給湯器、芝刈機等への電源供給用として使用されてきたが、近年では、電気自動車やプラグインハイブリッド車（以下、車両）の普及に伴って、一般家屋の屋外壁面に設置された屋外コンセントを車両への電源供給用として使用する用途の拡大が予想される。車両への電源供給の際には、車載型充電ケーブルと言われる充電ケーブルの一端に設けた自動車充電用コネクタが車両側に接続され、他端に設けたプラグ部が屋外コンセントに接続される。車載型充電ケーブルとは、電源供終了後には、該自動車充電用コネクタとプラグ部の接続を外して、充電ケーブルを車両のトランクに収納することを予定して設計されているものであるが、車両への充電を専ら自宅で行う場合には、接続作業や収納作業の手間を省くため、電源供終了後には自動車充電用コネクタのみ接続を外し、該充電ケーブルのプラグ部は自宅の屋外コンセントに差し込んだまま充電ケーブルを屋外に置いておく使用態様も予想される。充電ケーブルを屋外に設置したままにする場合、充電ケーブルの盗難、充電ケーブルの破損、自動車充電用コネクタへの悪戯等の危険性が高くなる問題や、地面に露出した充電ケーブルは見た目にも美しくないという問題があった。
【００１５】
これらの問題に対し、本発明のように、屋外コンセント保護用カバーが扉を備える筐体からなり、開閉カバー部が該扉からなる構成とし、更に、該筐体内部に、車両と接続する自動車充電用コネクタを保持するコネクタ保持部を備える構成とすることにより、非充電時の自動車充電用コネクタを筐体内に収納しておくことができ、充電ケーブルを屋外に設置したままにする場合に生じうる前記問題（自動車充電用コネクタへの悪戯の危険性が高くなる問題）を効果的に回避することができる。また、請求項２記載の発明のように、該筐体内部に、該自動車充電用コネクタを先端に有する充電ケーブルを収納するケーブル収納部を備える構成とすることにより、非充電時の充電ケーブルを筐体内に収納しておくことができ、充電ケーブルを屋外に設置したままにする場合に生じうる前記問題（充電ケーブルの盗難、充電ケーブルの破損の危険性が高くなる問題、地面に露出する充電ケーブルは見た目にも美しくないという問題）を効果的に回避することができる。更に、請求項３記載の発明のように、筐体表面に、化粧パネルを脱着自在に備える構成とすることにより、屋外コンセントが設置された建物の壁面に合うように、好みの化粧パネルを選択して取り付けることができるため、意匠性にも優れた屋外コンセント保護用カバーとすることができる。
【図面の簡単な説明】
【００１６】
【図１】既設の屋外コンセントの斜視図である。
【図２】本実施形態における屋外コンセント保護用カバーの全体説明図である。
【図３】図２の使用態様説明図である。
【図４】斜め上方から見た図２の斜視図である。
【図５】図２の背面図である。
【図６】実施形態２における屋外コンセント保護用カバーの全体説明図である。
【図７】実施形態３における屋外コンセント保護用カバーの全体説明図である。
【図８】実施形態４における屋外コンセント保護用カバーの全体説明図である。
【図９】図８の使用態様説明図である。
【発明を実施するための形態】
【００１７】
以下に本発明の好ましい実施形態を示す。
【００１８】
（実施形態１）
図１には既設の屋外コンセントの説明図、図２には本実施形態における屋外コンセント保護用カバーの全体説明図を示している。図３には図２の使用態様説明図を示している。
図４には、図２に示す屋外コンセント保護用カバーを斜め上方から見た様子を示している。
【００１９】
本実施形態における屋外コンセント保護用カバーは、図１に示す既設の屋外コンセント１の全体を、開閉自在に被覆する屋外コンセント保護用カバーである。既設の屋外コンセント１は、建物壁面に設置されているものをそのまま使用することができる。    
なお、建物とはビルや家屋の他、屋外に設置される電気機器収納用キャビネット等も含むものとする。
【００２０】
該屋外コンセント１は、屋外で使用する機器に電気を供給する目的で設置されており、例えば、屋外用照明器具、給湯機、車両への電源供給に用いることができる。該屋外コンセント１は建物内から引き込まれた電線により電気を供給するものであり、使用機器とコンセントプラグで接続されるコンセントタップを備えている。コンセントタップは、暴雨対策やコンセントプラグの差込み易さの観点から、通常斜め下向きに形成されている。
【００２１】
図２に示すように、本実施形態における屋外コンセント保護用カバーは、開閉カバー部として扉２を備える筐体３の背面に、屋外コンセント全体が嵌合される切欠き嵌合部４が形成されている。
本実施形態では、切欠き嵌合部４は、屋外コンセント１のサイズと略同一サイズの孔部として形成されている。該孔部の背面側周縁には、建物壁面との防水パッキンを設けている。
【００２２】
筐体３は、筐体内部の取付孔より建物壁面に取付金具（固定ねじ）等で固定されているが固定方法はこれに限定されるものではない。また、該筐体３の前面に開閉自在に設けられた扉２には、鎖錠手段として施錠装置５を備えている。
【００２３】
筐体３の内部には、図３に示すように、車両への電源供給に使用することを目的として、充電ケーブル１２の先端に設けられた自動車充電用コネクタ９を、車両とを接続していない非充電時に保持しておくことできるコネクタ保持部６が形成されている。コネクタ保持部６の形状は特に限定されるものではないが、本実施形態では、板部材を略Ｌ字状に折り曲げた構造からなり、手前側に自動車充電用コネクタ９を受ける支持腕７が形成されている。非充電時の自動車充電用コネクタ９をコネクタ保持部６に保持し、筐体３の扉２に設けた施錠装置５で扉２を施錠しておくことにより、車両へ充電完了後、自動車充電用コネクタ９のみ接続を外し、該充電ケーブル１２のプラグ部１０は自宅の屋外コンセント１に差し込んだままとする場合であっても、自動車充電用コネクタ９やプラグ部１０への悪戯や、盗電の問題を、扉２の施錠という簡単な操作で、効果的に回避することができる。一般に、充電ケーブル１２が車載型の場合、電源供終了後には、該自動車充電用コネクタ９とプラグ部の接続を外して、充電ケーブル１２を車両のトランクに収納し、充電時にトランクから取り出して自動車充電用コネクタ９とプラグ部の接続を行う作業が必要となるが、本実施形態の屋外コンセント保護用カバーを使用することにより、これらの接続作業や収納作業の手間を省くこともできる。
【００２４】
筐体３の下部には、図４に示すように、充電ケーブル１２が挿通可能な切欠部１１が形成されている。充電時には、充電ケーブル１２のプラグ部１０を屋外コンセント１に差し込み、自動車充電用コネクタ９を車両側に接続した状態で、筐体３の扉２を閉じて、施錠装置５で扉２を施錠しておくことにより、長時間に渡る車両充電中における充電ケーブル１２の盗難や、プラグ部１０への悪戯や、盗電の問題を、効果的に回避することができる。
【００２５】
図５に示すように、切欠き嵌合部４は、屋外コンセント１のサイズと略同一サイズの孔部として形成され、該孔部の背面側周縁には、建物壁面との防水パッキン１４を設けている。
【００２６】
本実施形態では、扉２の表面に、化粧パネル１３を脱着自在に備えている。該化粧パネル１３は扉２の裏側からねじ止めされており、屋外コンセント１が設置された建物の壁面に合うように、化粧パネルを変更することができる。化粧パネル１３を、扉２の表面以外にも、天井面、側面等にも着脱自在に設けることもできる。
【００２７】
その他、必要に応じて、筐体３の底部に、充電ケーブル１２のコントロールボックス（ＣＣＩＤ）を保持するＣＣＩＤ保持部を設けることもできる。
【００２８】
（実施形態２）
図６には本実施形態における屋外コンセント保護用カバーの全体説明図を示している。図７には、実施形態２の変形パターンの全体説明図を示している。
【００２９】
図６に示すように、本実施形態における屋外コンセント保護用カバーは、実施形態１と同様に、扉２を備える筐体３の背面に、屋外コンセント全体が嵌合される切欠き嵌合部４が形成されている。ただし、本実施形態の筐体３の内部は屋外コンセント全体を収納可能とするための収納空間のみとしたコンパクト構造を採用している。この構造では、実施形態１のようなコネクタ保持部６が形成されない簡易構造を採用している。
【００３０】
なお、切欠き嵌合部４は、筐体背面に形成された孔部ではなく、切欠き嵌合部４の下部を筐体の底面側にむけて全て切欠いた構造としてもよい。この場合、更に、筐体の底面を設けない構造とすることにより、壁面に既設の屋外コンセント１に対し、上側から壁面に沿って被せるようにして、屋外コンセント保護用カバーを設置することができる。
【００３１】
（実施形態３）
図７には本実施形態における屋外コンセント保護用カバーの全体説明図を示している。実施形態１および２では、屋外コンセント保護用カバーとして金属製の筐体を使用したが、屋外コンセント保護用カバーとして樹脂製のものを採用することもできる。
【００３２】
実施形態３の屋外コンセント保護用カバーは、切欠き嵌合部４を有する本体部１５と、上部に回転する樹脂性の回転カバー１６からなり、該回転カバー１６の下部には、充電ケーブル１２を挿通可能な切欠部１１を形成している。本体部の側面又は下面には、鎖錠手段として回転カバー１６と本体部１５に南京錠を挿通する孔部（図示せず）が形成されている。
【００３３】
本実施形態の屋外コンセント保護用カバーは、本体部１５と既設の屋外コンセント１とを、屋外コンセント１のカバー取付ねじを利用して共締めによって固定することができる構造を採用しているため、建物の壁面に屋外コンセント保護用カバーの固定用の孔部を形成する必要がなく、簡単な作業で取り付けを行うことができる。
【００３４】
（実施形態４）
図８には本実施形態における屋外コンセント保護用カバーの全体説明図を示している。図９には図８の使用態様説明図を示している。
【００３５】
図８に示すように、本実施形態では、地面に設置された筐体３内部に、車両への電源供給に使用することを目的として、充電ケーブル１２の先端に設けられた自動車充電用コネクタ９を、車両とを接続していない非充電時に保持しておくことできるコネクタ保持部６とともに、充電ケーブル１２を収納するケーブル収納部１７が形成されている。なお、筐体３は、高さを調節する基台上に設置したものであってもよい。
【００３６】
当該構成によれば、既設の屋外コンセント１をそのまま利用して、車両充電装置と同等の機能を備えることができる。すなわち、非充電時の自動車充電用コネクタ９をコネクタ保持部６に保持し、充電ケーブル１２をケーブル収納部１７に収納し、筐体３の扉２に設けた施錠装置５で扉２を施錠しておくことにより、車両へ充電完了後、自動車充電用コネクタ９のみ接続を外し、該充電ケーブル１２のプラグ部１０は自宅の屋外コンセント１に差し込んだままとする場合であっても、自動車充電用コネクタ９やプラグ部１０への悪戯、充電ケーブルの盗難、盗電の問題、および、充電ケーブルの散乱や破損の問題を効果的に回避することができる。
【符号の説明】
【００３７】
１  屋外コンセント
２  扉
３  筐体
４  切欠き嵌合部
５  施錠装置
６  コネクタ保持部
７  支持腕
９  自動車充電用コネクタ
１０  プラグ部
１１  切欠部
１２  充電ケーブル
１３  化粧パネル
１４  防水パッキン
１５  本体部
１６  回転カバー
１７  ケーブル収納部
【図１】
0005383729.tif 000002
【図２】
0005383729.tif 000003
【図３】
0005383729.tif 000004
【図４】
0005383729.tif 000005
【図５】
0005383729.tif 000006
【図６】
0005383729.tif 000007
【図７】
0005383729.tif 000008
【図８】
0005383729.tif 000009
【図９】
0005383729.tif 000010